(57)【要約】【課題】天板での作業領域を確保することができる表示装置付き机、および机を提供する。【解決手段】表示装置が配置される天板を有した表示装置付き机１である。表示装置の背面を固定する裏板２４と、表示装置の背面に設けられた取付け穴に対向配置され、表示装置の背面と裏板とを連結させるスペーサ部材２５とを有する。好ましくは、表示装置の上側面を覆う上棚板２８と、表示装置の左右側面をそれぞれ覆う囲い板２６，２７と、表示装置の背面と裏板との間に設けられ、表示装置からの熱を机外の外気によって放熱させる通気路とを有する。【選択図】図２
2018023447.tif 000002
【特許請求の範囲】
【請求項１】
表示装置が配置される天板を有した表示装置付き机であって、
前記表示装置の背面を固定する裏板と、
前記表示装置の背面に設けられた取付け穴に対向配置され、前記表示装置の背面と前記裏板とを連結させるスペーサ部材と
を有することを特徴とする表示装置付き机。
【請求項２】
請求項１に記載の表示装置付き机であって、
前記裏板が、前記表示装置の背面に設けられた取付け穴の位置変更に対応可能な取付部を有することを特徴とする表示装置付き机。
【請求項３】
請求項１または２に記載の表示装置付き机であって、
前記表示装置の上側面を覆う上棚板と、
前記表示装置の左右側面をそれぞれ覆う囲い板と、
前記表示装置の背面と前記裏板との間に設けられ、前記表示装置からの熱を前記机外の外気によって放熱させる通気路と
を有することを特徴とする表示装置付き机。
【請求項４】
請求項３に記載の表示装置付き机であって、
該机は、前記通気路の下方で開口し、前記外気を前記通気路内に取り込む吸気口と、
前記通気路の上方で開口し、前記通気路内の空気を前記机外に排出する排気口と
を有することを特徴とする表示装置付き机。
【請求項５】
請求項３または４に記載の表示装置付き机であって、
前記囲い板は、交換可能に構成されていることを特徴とする表示装置付き机。
【請求項６】
表示装置が配置される天板を有した机であって、
前記表示装置の背面を固定する裏板と、
前記表示装置の背面に設けられた取付け穴に対向配置され、前記表示装置の背面と前記裏板とを連結させるスペーサ部材と
を有することを特徴とする机。
【請求項７】
請求項２に記載の表示装置付き机であって、
前記取付部が、上下方向、左右方向、斜め方向の少なくとも１の方向に沿って形成された溝あるいは穴であることを特徴とする表示装置付き机。
【発明の詳細な説明】
【技術分野】
【０００１】
本発明は、表示装置付き机、および机に関し、詳細には、表示装置が設置される天板を有した表示装置付き机、および机に関する。
【背景技術】
【０００２】
教育環境自体のＩＴ（Information Technology）化に関し、政府案では、１人１台の情報端末配備、学校の高速ブロードバンド接続、電子黒板や無線ＬＡＮ環境の整備、デジタル教科書・教材の活用等、初等教育段階から教育環境自体のＩＴ化を進め、児童生徒等の学力の向上とＩＴリテラシーの向上を図ることが検討されている。これらの取り組みにより、２０１０年代中には、すべての小学校、中学校、高等学校、特別支援学校で教育環境のＩＴ化の実現を図る。
【０００３】
教育環境のＩＴ化を実現させるために、例えば、特許文献１には、表示装置を机の天板に設置し、表示装置の後方の空気を上方に逃がす構造が開示されている。
【先行技術文献】
【特許文献】
【０００４】
【特許文献１】特開平７−５９６１９号公報
【発明の概要】
【発明が解決しようとする課題】
【０００５】
しかしながら、上記特許文献１に記載の構造では、表示装置が机の天板に設置されるため、天板での作業領域が狭くなるという問題がある。
【０００６】
本発明は、上述のような実情に鑑みてなされたもので、天板での作業領域を確保することができる表示装置付き机、および机を提供することを目的とする。
【課題を解決するための手段】
【０００７】
上記課題を解決するために、本発明の第１の技術手段は、表示装置が配置される天板を有した表示装置付き机であって、前記表示装置の背面を固定する裏板と、前記表示装置の背面に設けられた取付け穴に対向配置され、前記表示装置の背面と前記裏板とを連結させるスペーサ部材とを有することを特徴としたものである。
【０００８】
第２の技術手段は、第１の技術手段において、前記裏板が、前記表示装置の背面に設けられた取付け穴の位置変更に対応可能な取付部を有することを特徴としたものである。
【０００９】
第３の技術手段は、第１または第２の技術手段において、前記表示装置の上側面を覆う上棚板と、前記表示装置の左右側面をそれぞれ覆う囲い板と、前記表示装置の背面と前記裏板との間に設けられ、前記表示装置からの熱を前記机外の外気によって放熱させる通気路とを有することを特徴としたものである。
【００１０】
第４の技術手段は、第３の技術手段において、該机は、前記通気路の下方で開口し、前記外気を前記通気路内に取り込む吸気口と、前記通気路の上方で開口し、前記通気路内の空気を前記机外に排出する排気口とを有することを特徴としたものである。
【００１１】
第５の技術手段は、第３または第４の技術手段において、前記囲い板は、交換可能に構成されていることを特徴としたものである。
【００１２】
また、本発明の第６の技術手段は、表示装置が配置される天板を有した机であって、前記表示装置の背面を固定する裏板と、前記表示装置の背面に設けられた取付け穴に対向配置され、前記表示装置の背面と前記裏板とを連結させるスペーサ部材とを有することを特徴としたものである。
【００１３】
第７の技術手段は、第２の技術手段において、前記取付部が、上下方向、左右方向、斜め方向の少なくとも１の方向に沿って形成された溝あるいは穴であることを特徴としたものである。
【発明の効果】
【００１４】
本発明によれば、表示装置がスペーサ部材を介して裏板に固定されるため、表示装置用のスタンドが不要になる。よって、天板での作業領域を確保することができ、また、大画面の表示装置を机に設置できる。
【図面の簡単な説明】
【００１５】
【図１】本発明の第１実施形態による表示装置付き机の外観構成図である。
【図２】机の斜視図である。
【図３】表示装置および机の分解斜視図である。
【図４】（Ａ）は図１のＡ−Ａ線の矢視断面図、（Ｂ）は図１のＢ−Ｂ線の矢視断面図である。
【図５】第２実施形態による表示装置付き机の外観構成図である。
【図６】第３実施形態による表示装置付き机の外観構成図である。
【図７】第４実施形態による表示装置付き机の外観構成図である。
【図８】第５〜第７実施形態による表示装置付き机の外観構成図である。
【発明を実施するための形態】
【００１６】
（第１実施形態）
図１は、本発明の第１実施形態による表示装置付き机の外観構成図、図２は、机の斜視図であり、図３は、表示装置および机の分解斜視図である。
図１に示すように、表示装置付き机１は、例えば学習用に利用可能であり、表示装置１０と机２０を組み合わせて構成されている。
【００１７】
表示装置１０は、例えば、いわゆる２Ｋ画像と呼ばれるフルハイビジョン画像（例えば１９２０画素×１０８０画素前後）よりも解像度の高い４Ｋ画像（例えば３８４０×２１６０画素）を表示可能な高解像度液晶パネルを用いており、例えば４０Ｖ型の大きさで構成されている。
また、表示装置１０の表示画面は、上側面１１、下側面１２、左側面１３、右側面１４、背面１５で囲まれている。上側面１１や下側面１２は、その左右両端で左側面１３、右側面１４にそれぞれ連なり、上側面１１、下側面１２、左側面１３や右側面１４は、その後端で背面１５に連なる。下側面１２の例えば中央は下方に突出し、この突出部分にリモコン受光部などが設けられている。
【００１８】
図１（Ａ）に示すように、机２０は、例えば矩形状に形成された天板２１を有する。表示装置１０は、天板２１の例えば後端で、天板２１に対して垂直に配置されている。これにより、視聴者は、机２０の前側で表示装置１０を視ながら、表示装置１０の手前の天板２１上で作業をすることができる。
天板２１は例えば２枚の側板２２，２３で支持されている。詳しくは、側板２２は机２０に向かって左側に、側板２３は机２０に向かって右側にそれぞれ位置し、側板２２，２３は、天板２１の後側面２１ａ（図３）よりも後方に延びており、天板２１の左右側面に例えばネジで固定されている。
【００１９】
一方、天板２１の奥方であって側板２２，２３の間には、裏板２４が設けられる。裏板２４は、図１（Ｂ）に示すように、例えば表示装置１０の背面１５を部分的に覆う位置に設けられ、側板２２，２３の後端に例えばネジで固定されている。
裏板２４の表面には、表示装置１０の背面１５と裏板２４とを連結させるディスプレイ取付板２５が設置されている（図２）。なお、ディスプレイ取付板２５が本発明のスペーサ部材に相当する。
【００２０】
ディスプレイ取付板２５は、表示装置１０の背面１５に設けられた取付け穴（図示省略）に対向配置され、この取付け穴に対応した位置に、例えば４個の貫通孔２５ａが形成されている。なお、この取付け穴の位置はいわゆるＶＥＳＡ規格によるものである。
表示装置１０は、裏板２４の裏面からディスプレイ取付板２５に向けて挿入されたネジ６０（図４（Ａ））でディスプレイ取付板２５に固定される。これにより、表示装置１０用のスタンドが不要になるので、天板２１での作業領域を確保することができ、また、大画面の表示装置１０を机２０に設置できる。
【００２１】
また、図１（Ｂ）に示すように、裏板２４には、ディスプレイ取付板２５の貫通孔２５ａに対応した位置に、例えば４個の貫通孔２４ａが形成されている。
【００２２】
表示装置１０は表示画面を除いて覆われている。具体的には、図１,３に示すように、表示装置１０の左側面１３は囲い板２６で覆われ、表示装置１０の右側面１４は囲い板２７で覆われている。囲い板２６，２７の幅は表示装置１０の左側面１３や右側面１４の幅よりも大きく形成されている。囲い板２６，２７の前側面は、例えば表示装置１０の表示画面と面一になる位置に配され、囲い板２６，２７の後側面は、側板２２，２３と面一になる位置に配されており、囲い板２６，２７は裏板２４の左右側面に例えばネジで固定されている。
【００２３】
表示装置１０の上側面１１は上棚板２８で覆われている。上棚板２８の幅は表示装置１０の上側面１１の幅よりも大きく形成される。上棚板２８の前側面は、例えば表示装置１０の表示画面と面一になる位置に配置され、上棚板２８の後側面は、例えば囲い板２６，２７と面一になる位置に配されており、上棚板２８は囲い板２６，２７の上端に例えばネジや溝に差し込みで固定される。
【００２４】
このように、表示装置１０の周囲が上棚板２８、囲い板２６，２７で覆われているため、勝手に触られたり、傷付けられたりせず、表示装置１０を保護できる。
また、囲い板２６，２７や上棚板２８の変更によって表示装置１０の形状変更にも柔軟に対応できる。また、囲い板２６，２７や上棚板２８を表示装置１０の表示画面と面一になるように配置すれば、表示装置１０と机２０との一体感を得ることができる。
【００２５】
さらに、表示装置１０の上側面１１を上棚板２８で完全に覆えば、仮に、表示装置１０の上方で水をこぼしたとしても、表示装置１０を保護できる。なお、上棚板２８の手前側を前方に延ばした場合、照明器具を上棚板２８に取り付け可能になる。
また、表示装置１０の上側面１１と上棚板２８との間、表示装置１０の左側面１３と囲い板２６との間、表示装置１０の右側面１４と囲い板２７との間は、視聴者が表示装置１０を把持できない間隙（例えば６ｍｍ程度）で形成されている。このように、表示装置１０を把持できないようにすれば、表示装置１０をより確実に保護できる。
【００２６】
天板２１の下方であって側板２２，２３の間には、下棚板２９、化粧カバー３０、ＰＣ収納ＢＯＸ３１が設けられる。下棚板２９は、椅子（図示省略）に腰掛けた視聴者の脚が天板２１の下方に納まるように、天板２１よりも小さく形成される。図２（Ｂ）に示すように、下棚板２９の後端の中央には、後述する吸気口３４に相当する凹みが形成され、また、後端のコーナー近傍には配線孔２９ａが下棚板２９を貫通して形成されている。
【００２７】
下棚板２９は天板２１と略平行に配置され、裏板２４および側板２２，２３に例えばネジで固定されている。
化粧カバー３０は、ＰＣ収納ＢＯＸ３１を設ける分だけ下棚板２９よりも小さく形成され、吸気口３４や配線孔２９ａの手前側に立設されており、下棚板２９に例えばネジや爪で固定されている。
【００２８】
ＰＣ収納ＢＯＸ３１は下棚板２９の右寄りに設けられる。ＰＣ収納ＢＯＸ３１には、例えばデジタルコンテンツを配信するための機器などを収納することができる。ＰＣ収納ＢＯＸ３１は、開閉可能なＢＯＸカバー３１ａを介して机２０の前側からアクセス可能である。
【００２９】
図２（Ａ）に示すように、天板２１の後端には、スペーサ３２が設置されている。スペーサ３２は、例えば角柱状に形成され、表示装置１０の下側面１２を受容できるように、中央部分が凹んでいる。なお、スペーサ３２は、表示装置１０の下側面１２の形状に応じて変更できる。
表示装置１０を天板２１に配置する際に、スペーサ３２で表示装置１０の下側面１２と天板２１との隙間を埋めれば、天板２１上に置いた物が後述する通気路３３内に落下しないし、表示装置１０の配線や裏板２４等を机２０の前側から見えなくすることができる。
【００３０】
図４（Ａ）は図１のＡ−Ａ線の矢視断面図、図４（Ｂ）は図１のＢ−Ｂ線の矢視断面図である。表示装置１０の背面１５と裏板２４との間には、通気路３３が設けられ、表示装置１０からの熱を机２０外の外気によって放熱できる。
詳しくは、天板２１の後側面２１ａと裏板２４の表面との間には間隙が設けられ、通気路３３を構成している。通気路３３の左右両側は囲い板２６，２７で区画されている。
【００３１】
通気路３３の下方には、図４（Ａ）に示すように、下棚板２９と裏板２４との間に吸気口３４が形成され、また、化粧カバー３０の上側面と天板２１との間にも吸気口３４ａが形成されている。なお、前者の吸気口３４は、図２（Ｂ）で説明したように下棚板２９の中央に形成され、後者の吸気口３４ａは化粧カバー３０に沿って横長に形成されている。
通気路３３の上方には、図１（Ｂ）にも示すように、例えば、裏板２４の上側面と上棚板２８の後端との間に、横長の排気口３５が形成されている。
【００３２】
通気路３３内に、外気よりも高温の空気が存在すると、この高温の空気は排気口３５に向けて上昇するとともに、外気が吸気口３４，３４ａから通気路３３内に取り込まれる。通気路３３内の高温の空気は、煙突効果によって排気口３５から机２０の外部に速やかに排出されるので、十分な放熱効果を得ることができる。
また、外気を取り込む吸気口３４，３４ａを下方に設け、排気口３５を上方に設ければ、通気路３３内の空気を机２０の外部により一層速やかに排出することができる。
【００３３】
また、この通気路３３には表示装置１０などの配線を収容してもよく、この場合、配線の処理が容易になる。
さらに、入出力端子やイヤホン端子が表示装置の背面の上部に設置されている場合、上述した横長の排気口３５を裏板２４と上棚板２８との間に設ければ、この排気口３５から手を入れてケーブルやイヤホンを接続でき、囲い板などを取り外さなくて済む。
【００３４】
また、スペーサ３２は、机２０の前側と通気路３３とを遮断することができるため、通気路３３内の高温の空気は机２０の前側に排出されない。
なお、２つの机を、互いの裏板が向き合うように並べる場合、通気路３３内の高温の空気を真っ直ぐ上方に排出できるように、排気口の位置を変更してもよい。詳しくは、裏板２４を上に延ばし、上棚板２８の幅を手前に短くすれば、排気口を、裏板２４の上端と上棚板２８の後端面との間に設けることができる。
【００３５】
（第２〜第４実施形態）
上記第１実施形態では、囲い板２６，２７の前側面が、表示装置１０の表示画面と面一になる位置に配した例を挙げて説明したが、本発明はこの形態に限定されない。
囲い板を例えばダボ継ぎによって側板２２，２３の上側面に交換可能にすれば、使用先（図書館、学習塾など）に応じたバリエーションの豊富な机を提供できる。
【００３６】
具体的には、図５に示す囲い板３６，３７は、図１で説明した囲い板２６，２７よりも前方にやや突き出ており、囲い板３６，３７の下端が上端よりも手前側に位置している。これにより、第２実施形態の場合、図１に示した表示装置よりも左右側方からの明るさの影響を受けにくくなり、また、周りの視線を遮断できるようになっている。
次に、図６に示す囲い板４６，４７は、図５に示した囲い板３６，３７よりも前方にさらに突き出ている。第３実施形態の場合、囲い板４６，４７がパーテーションのように機能し、作業に容易に集中できる。
【００３７】
続いて、第４実施形態の場合、図７に示す囲い板５６，５７は、図６に示した囲い板４６，４７よりもさらに前方に突き出ているが、例えば、天板上の照度を確保したり、作業者を側方から見えるようにするために、透明または半透明のアクリル製の板を組み合わせている。
なお、囲い板の交換については、ダボ継ぎの他に、例えばネジで固定する構造や、側板２２，２３の上側面に設けた溝に差し込める構造を用いてもよい。
【００３８】
（第５〜第７実施形態）
ところで、上記実施形態１では４個の貫通孔２４ａの例で説明した（図１（Ｂ））。しかし、表示装置１０のインチ数の変更に伴う、背面１５に設けられた取付け穴の位置変更に容易に対応することも可能である。
詳しくは、図８（Ａ）に示すように、裏板２４に、溝状の取付部２４ａを４つ形成してもよい。この例の取付部２４ａは、例えば溝の軸線が中央で交差するＸ字形状に配置されている。なお、右上の取付部２４ａと左下の取付部２４ａは同一直線上になくてもよく、左上の取付部２４ａと右下の取付部２４ａも同一直線上になくてもよい。
【００３９】
また、４つの取付部２４ａのうち、例えば右上の取付部２４ａおよび左上の取付部２４ａは、机２０の例えば左右方向に沿って横長にそれぞれ形成してもよい。
あるいは、図８（Ｂ）に示すように、いずれの取付部２４ａも、机２０の例えば左右方向に沿って横長にそれぞれ形成してもよい。または、机２０の例えば上下方向に沿って縦長に形成することも可能であり、横長の取付部と縦長の取付部の組み合わせ、横長の取付部と斜めの取付部との組み合わせ、縦長の取付部と斜めの取付部との組み合わせ、横長の取付部と縦長の取付部と斜めの取付部との組み合わせであってもよい。
【００４０】
また、上記実施形態１では溝状の例を挙げて説明したが、各取付部２４ａは単一の溝ではなく、複数の溝や複数の穴であってもよい。
あるいは、図８（Ｃ）に示すように、斜めに揃った穴状の取付部２４ａを、上下方向や左右方向に並べて配置することも可能である。なお、穴状の取付部の場合には、整列させずに例えばランダムに形成してもよく、また、整列していなくとも、ＶＥＳＡ規格に合う穴を、複数のサイズの分だけ形成してもよい。
【符号の説明】
【００４１】
１…表示装置付き机、１０…表示装置、１１…上側面、１２…下側面、１３…左側面、１４…右側面、１５…背面、２０…机、２１…天板、２１ａ…後側面、２２，２３…側板、２４…裏板、２４ａ…取付部、２５…ディスプレイ取付板、２５ａ…貫通孔、２６，２７，３６，３７，４６，４７，５６，５７…囲い板、２８…上棚板、２９…下棚板、２９ａ…配線孔、３０…化粧カバー、３１…ＰＣ収納ＢＯＸ、３１ａ…ＢＯＸカバー、３２…スペーサ、３３…通気路、３４，３４ａ…吸気口、３５…排気口、６０…ネジ。
【図１】
2018023447.tif 000003
【図２】
2018023447.tif 000004
【図３】
2018023447.tif 000005
【図４】
2018023447.tif 000006
【図５】
2018023447.tif 000007
【図６】
2018023447.tif 000008
【図７】
2018023447.tif 000009
【図８】
2018023447.tif 000010
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
表示装置が配置される天板を有した表示装置付き机であって、
前記表示装置の背面を固定する裏板と、
前記表示装置の背面に設けられた取付け穴に対向配置され、前記表示装置の背面と前記裏板とを連結させるスペーサ部材とを有しており、
前記表示装置の上側面を覆う上棚板と、前記表示装置の左右側面をそれぞれ覆う囲い板と、前記表示装置の背面と前記裏板との間に設けられ、前記表示装置からの熱を前記机外の外気によって放熱させる通気路とを有し、
該机は、前記通気路の下方で開口し、前記外気を前記通気路内に取り込む吸気口と、
前記通気路の上方で、かつ、前記裏板の上方と前記上棚板の後方との間で開口し、前記通気路内の空気を前記机外に排出する排気口と
を有することを特徴とする表示装置付き机。
【請求項２】
請求項１に記載の表示装置付き机であって、
前記裏板が、前記表示装置の背面に設けられた取付け穴の位置変更に対応可能な取付部を有することを特徴とする表示装置付き机。
【請求項３】
請求項２に記載の表示装置付き机であって、
前記取付部が、上下方向、左右方向、斜め方向の少なくとも１の方向に沿って形成された溝あるいは穴であることを特徴とする表示装置付き机。
【請求項４】
請求項１から３のいずれか一項に記載の表示装置付き机であって、
前記囲い板は、交換可能に構成されていることを特徴とする表示装置付き机。
【請求項５】
請求項１から４のいずれか一項に記載の表示装置付き机であって、
前記天板に設置され、前記表示装置と前記天板との隙間を埋める閉塞部材をさらに有することを特徴とする表示装置付き机。
【請求項６】
表示装置が配置される天板を有した机であって、
前記表示装置の背面を固定する裏板と、
前記表示装置の背面に設けられた取付け穴に対向配置され、前記表示装置の背面と前記裏板とを連結させるスペーサ部材とを有しており、
前記表示装置の上側面を覆う上棚板と、前記表示装置の左右側面をそれぞれ覆う囲い板と、前記表示装置の背面と前記裏板との間に設けられ、前記表示装置からの熱を前記机外の外気によって放熱させる通気路とを有し、
該机は、前記通気路の下方で開口し、前記外気を前記通気路内に取り込む吸気口と、
前記通気路の上方で、かつ、前記裏板の上方と前記上棚板の後方との間で開口し、前記通気路内の空気を前記机外に排出する排気口と
を有することを特徴とする机。
【請求項７】
請求項６に記載の机であって、
前記天板に設置され、前記表示装置と前記天板との隙間を埋める閉塞部材をさらに有することを特徴とする机。
【手続補正２】
【補正対象書類名】明細書
【補正対象項目名】０００７
【補正方法】変更
【補正の内容】
【０００７】
上記課題を解決するために、本発明の第１の技術手段は、表示装置が配置される天板を有した表示装置付き机であって、前記表示装置の背面を固定する裏板と、前記表示装置の背面に設けられた取付け穴に対向配置され、前記表示装置の背面と前記裏板とを連結させるスペーサ部材とを有しており、前記表示装置の上側面を覆う上棚板と、前記表示装置の左右側面をそれぞれ覆う囲い板と、前記表示装置の背面と前記裏板との間に設けられ、前記表示装置からの熱を前記机外の外気によって放熱させる通気路とを有し、該机は、前記通気路の下方で開口し、前記外気を前記通気路内に取り込む吸気口と、前記通気路の上方で、かつ、前記裏板の上方と前記上棚板の後方との間で開口し、前記通気路内の空気を前記机外に排出する排気口とを有することを特徴としたものである。
【手続補正３】
【補正対象書類名】明細書
【補正対象項目名】０００９
【補正方法】変更
【補正の内容】
【０００９】
第３の技術手段は、第２の技術手段において、前記取付部が、上下方向、左右方向、斜め方向の少なくとも１の方向に沿って形成された溝あるいは穴であることを特徴としたものである。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
第４の技術手段は、第１から第３の技術手段において、前記囲い板は、交換可能に構成されていることを特徴としたものである。
第５の技術手段は、第１から第４の技術手段において、前記天板に設置され、前記表示装置と前記天板との隙間を埋める閉塞部材をさらに有することを特徴としたものである。
【手続補正６】
【補正対象書類名】明細書
【補正対象項目名】００１２
【補正方法】変更
【補正の内容】
【００１２】
また、本発明の第６の技術手段は、表示装置が配置される天板を有した机であって、前記表示装置の背面を固定する裏板と、前記表示装置の背面に設けられた取付け穴に対向配置され、前記表示装置の背面と前記裏板とを連結させるスペーサ部材とを有しており、前記表示装置の上側面を覆う上棚板と、前記表示装置の左右側面をそれぞれ覆う囲い板と、前記表示装置の背面と前記裏板との間に設けられ、前記表示装置からの熱を前記机外の外気によって放熱させる通気路とを有し、該机は、前記通気路の下方で開口し、前記外気を前記通気路内に取り込む吸気口と、前記通気路の上方で、かつ、前記裏板の上方と前記上棚板の後方との間で開口し、前記通気路内の空気を前記机外に排出する排気口とを有することを特徴としたものである。
【手続補正７】
【補正対象書類名】明細書
【補正対象項目名】００１３
【補正方法】変更
【補正の内容】
【００１３】
第７の技術手段は、第６の技術手段において、前記天板に設置され、前記表示装置と前記天板との隙間を埋める閉塞部材をさらに有することを特徴としたものである。